(57)【要約】【課題】  後処理部の製作工程の簡略化を図れるようにする。【解決手段】  画像形成部から送り出された画像形成済み用紙を搬入・搬出自在な用紙搬入出装置２と、用紙搬入出装置から搬出された用紙に後処理を行う後処理装置３とを上下に設けてある後処理部の組み付け構造であって、用紙搬入出装置と底部支持体７とを上下に間隔を隔てて複数の支柱８ａ，８ｂで一体に固着し、その一体に固着してある用紙搬入出装置と底部支持体との間に後処理装置を組み付けてある。【選択図】        図２
2006298588.tif 000002
【特許請求の範囲】
【請求項１】
画像形成部から送り出された画像形成済み用紙を搬入・搬出自在な用紙搬入出装置と、前記用紙搬入出装置から搬出された用紙に後処理を行う後処理装置とを上下に設けてある後処理部の組み付け構造であって、
前記用紙搬入出装置と底部支持体とを上下に間隔を隔てて複数の支柱で一体に固着し、
その一体に固着してある前記用紙搬入出装置と前記底部支持体との間に前記後処理装置を組み付けてある後処理部の組み付け構造。
【請求項２】
前記支柱を板金加工で製作してある請求項１記載の後処理部の組み付け構造。
【請求項３】
前記用紙搬入出装置と前記底部支持体とに対し、前記複数の支柱をビス止めによって夫々一体に連結固着してある請求項１又は２記載の後処理部の組み付け構造。
【請求項４】
前記支柱どうしを補強板で一体に連結してある請求項１〜３のいずれか１項記載の後処理部の組み付け構造。
【発明の詳細な説明】
【技術分野】
【０００１】
本発明は、画像形成部から送り出された画像形成済み用紙を搬入・搬出自在な用紙搬入出装置と、前記用紙搬入出装置から搬出された用紙に後処理を行う後処理装置とを上下に設けてある後処理部の組み付け構造に関する。
【背景技術】
【０００２】
複写機やプリンタなどの画像形成装置では、従来、底部支持体に角パイプを枠組みして互いに溶接することにより、各構成要素を収容する支持構造体を製作してから、その支持構造体で確保した空間に各構成要素を組み付けている（例えば、特許文献１参照）。
従って、用紙搬入出装置と後処理装置とを上下に設けてある後処理部の組み付け構造においても、従来、底部支持体に角パイプを枠組みして互いに溶接することにより、用紙搬入出装置と後処理装置とを収容する支持構造体を製作してから、その支持構造体で確保した空間に用紙搬入出装置と後処理装置とを上下に組み付けている。
【０００３】
【特許文献１】特開２０００−１３８４７０号公報
【発明の開示】
【発明が解決しようとする課題】
【０００４】
このため、従来の後処理部の組み付け構造では、後処理部の製作のために、用紙搬入出装置と後処理装置とを収容する支持構造体の製作工程と、その支持構造体への用紙搬入出装置の組み付け工程と、支持構造体への後処理装置の組み付け工程との少なくとも三つの工程を必要とし、後処理部の製作工程の簡略化を図りにくい欠点がある。
本発明は上記実情に鑑みてなされたものであって、後処理部の製作工程の簡略化を図れるようにすることを目的とする。
【課題を解決するための手段】
【０００５】
本発明の第１特徴構成は、画像形成部から送り出された画像形成済み用紙を搬入・搬出自在な用紙搬入出装置と、前記用紙搬入出装置から搬出された用紙に後処理を行う後処理装置とを上下に設けてある後処理部の組み付け構造であって、前記用紙搬入出装置と底部支持体とを上下に間隔を隔てて複数の支柱で一体に固着し、その一体に固着してある前記用紙搬入出装置と前記底部支持体との間に前記後処理装置を組み付けてある点にある。
【０００６】
〔作用及び効果〕
用紙搬入出装置と底部支持体とを上下に間隔を隔てて複数の支柱で一体に固着し、その一体に固着してある用紙搬入出装置と底部支持体との間に後処理装置を組み付けてあるので、後処理部の製作のために、用紙搬入出装置と底部支持体とを上下に間隔を隔てて複数の支柱で一体に固着する工程と、その一体に固着してある用紙搬入出装置と底部支持体との間に後処理装置を組み付ける工程との少なくとも二つの工程で組み付けることができるようになり、後処理部の製作工程の簡略化を図れる。
【０００７】
本発明の第２特徴構成は、前記支柱を板金加工で製作してある点にある。
【０００８】
〔作用及び効果〕
支柱を板金加工で製作してあるので、用紙搬入出装置や後処理装置を支柱側に固着するための固着部を、支柱の製作時に、その支柱に板金加工で一体に設けておくことができ、用紙搬入出装置や後処理装置を支柱側に固着する工程の簡略化を図れる。
【０００９】
本発明の第３特徴構成は、前記用紙搬入出装置と前記底部支持体とに対し、前記複数の支柱をビス止めによって夫々一体に連結固着してある点にある。
【００１０】
〔作用及び効果〕
用紙搬入出装置と底部支持体とに対し、複数の支柱をビス止めによって夫々一体に連結固着してあるので、溶接によって一体に連結固着してある場合に比べて、熱歪みが生じるおそれがなく、用紙搬入出装置から搬出された用紙に対して後処理を円滑に行えるように、後処理装置を用紙搬入出装置に対して精度良く組み付け易いとともに、用紙搬入出装置を支柱から容易に取り外すこともでき、用紙搬入出装置の修理や交換などのメンテナンス作業の簡略化を図ることもできる。
【００１１】
本発明の第４特徴構成は、前記支柱どうしを補強板で一体に連結してある点にある。
【００１２】
〔作用及び効果〕
用紙搬入出装置と底部支持体とを一体に固着している支柱どうしを補強板で一体に連結してあるので、用紙搬入出装置と支柱と底部支持体とが相対変位しにくく、後処理装置を支柱側や底部支持体側に支持させるように組み付けてあっても、用紙搬入出装置から搬出された用紙に対して後処理を円滑に行えるように、後処理装置と用紙搬入出装置との組み付け精度を長期に亘って維持することができる。
【発明を実施するための最良の形態】
【００１３】
以下に本発明の実施の形態を図面に基づいて説明する。
図１〜図３は、複写機やプリンタなどの画像形成装置に装備してある後処理部１の本発明による組み付け構造を示し、この後処理部１は、図３に示すように、原稿画像を用紙に転写する画像形成部の排紙口から送り出された画像形成済み用紙を搬入・搬出自在な用紙搬入出装置２と、後処理装置の一例としての、用紙搬入出装置２から搬出された画像形成済み用紙を綴じるステイプル処理装置３を備えた中間トレイ４とを上下に設けてある。
【００１４】
前記用紙搬入出装置２は、画像形成部から送り出された画像形成済み用紙を後処理部１内に搬入したり、搬入した画像形成済み用紙をステイプル処理装置３や排紙トレイ（図外）などに搬出したりするための搬送ローラ５などを左右の側板６に支持してユニット化してある。
【００１５】
そして、図１に示すように、用紙搬入出装置２と底部支持体７と複数の支柱８ａ，８ｂとを使用して、図２に示すように、用紙搬入出装置２と底部支持体７とを上下に間隔を隔てて複数の支柱８ａ，８ｂで一体に固着してある支持構造体９を構成し、その支持構造体９の用紙搬入出装置２と底部支持体７との間の空間に、図３に示すように、中間トレイ４（ステイプル処理装置３）を機体横側方に向けて出退自在に組み付けてある。
【００１６】
前記底部支持体７は、板金製の筐体１０の前後左右に移動用の車輪１１を回転自在に支持してユニット化してあり、画像形成済み用紙を二つ折りにする中折れ装置などを筐体１０の内側に必要に応じて装備できるように構成してある。
【００１７】
前記支柱８ａ，８ｂは板金加工で製作して、用紙搬入出装置２や底部支持体７に対する固定部１２を上下端部に一体に設けてあり、排紙トレイ側に位置する左右の前部支柱８ａどうしを板金製の補強板１３で一体に連結するとともに、左右の後部支柱８ｂどうしを板金製の補強板１４で一体に連結し、左右の前部支柱８ａに亘って、中間トレイ４を機体横側方に向けて出退自在にガイドするガイドフレーム１５を固定して、用紙搬入出装置２と底部支持体７とに対してビス止めによって夫々一体に連結固着してある。
【００１８】
〔その他の実施形態〕
１．本発明による後処理部の組み付け構造は、パイプなどから構成してある複数の支柱で用紙搬入出装置と底部支持体とを上下に間隔を隔てて一体に固着してあっても良い。
２．本発明による後処理部の組み付け構造は、画像形成済み用紙に穿孔するためのパンチ装置を備えた用紙搬入出装置を組み付けてあっても良い。
【図面の簡単な説明】
【００１９】
【図１】後処理部の組み付け構造を示す分解斜視図
【図２】後処理部の組み付け構造を示す斜視図
【図３】後処理部の組み付け構造を示す斜視図
【符号の説明】
【００２０】
２    用紙搬入出装置
３    後処理装置
８ａ  支柱
８ｂ  支柱
１３  補強板
１４  補強板
【図１】
2006298588.tif 000003
【図２】
2006298588.tif 000004
【図３】
2006298588.tif 000005